(57)【特許請求の範囲】
【請求項１】
一端に凸状の陽極キャップを有し、他端が陰極端子面とされた棒状電池の逆接続を防止するための電池の逆差防止具において、
上記陰極端子面側に配置される電気絶縁材からなる第１基板と、上記陽極キャップ側に配置される第２基板と、上記棒状電池の軸線に沿って延在し、上記第１基板および上記第２基板を互いに対向させた状態で一体的に連結する連結部材とを備え、上記第１基板および上記第２基板の各々には上記陽極キャップが挿通可能な開口部が形成されていることを特徴とする電池の逆差防止具。
【請求項２】
上記第１基板の反陰極端子面側には、上記陽極キャップの突出高さよりも低い高さの凸部が設けられていることを特徴とする請求項１に記載の電池の逆差防止具。
【請求項３】
上記凸部が所定の間隔をもって点在状に設けられた複数の突起からなることを特徴とする請求項２に記載の電池の逆差防止具。
【請求項４】
上記連結部材には把手が設けられていることを特徴とする請求項１に記載の電池の逆差防止具。
【請求項５】
上記把手が上記連結部材の長さ方向の中心位置から上記第２基板側寄りの位置に設けられていることを特徴とする請求項４に記載の電池の逆差防止具。
【発明の詳細な説明】
【０００１】
【発明の属する技術分野】
本発明は、棒状電池の逆接続を防止するための逆差防止具に関し、さらに詳しく言えば、既存の電池に対しても変更を加えることなく適用し得る電池の逆差防止具に関するものである。
【０００２】
【従来の技術】
リモコンなどの携帯機器や電源を交直両用とする電気機器には電池収納部が設けられている。通常、これらの機器には単一、単二もしくは単三などの棒状電池が用いられいる。
【０００３】
電池の使用本数は機器の駆動電圧に応じて区々であるが、いずれにしても、電池収納部にはその必要本数を直列、並列もしくは直並列に並べて収納する例えば樋状の電池収納溝が設けられており、その両端には陽極取り出し端子と陰極取り出し端子とが設けられている。
【０００４】
電池を正確に入れるようにするため、電池収納溝や電池収納部のカバー裏面などには、使用する電池の定格や挿入方向が案内されている。また、陰極取り出し端子側には、板バネもしくはコイルバネが設けられており、そのバネ力により電池が両端子間に確実に接続された状態で保持されるようになっている。
【０００５】
【発明が解決しようとする課題】
上記のように、電池収納部には電池を入れる方向が案内されているが、それでも不注意などによりプラス側とマイナス側を逆さまにして挿入するいわゆる電池の逆差があとを絶たない。
【０００６】
大抵の場合、その電源回路には保護回路が設けられているが、何らかの原因によりそれが動作しない場合があり十分とは言えない。事実、電池の逆差によりリモコンなどの電子機器が損傷を受けた例がある。特に、二次電池の場合には、逆差状態で充電されると、破裂や発火することさえある。
【０００７】
これを防止するため、従来より種々の逆差防止手段が提案されているが、その中の一つに、電池の陰極端子面に電気絶縁性の突起を形成し、電池の陰極端子面同士もしくは電池の陰極端子面と陽極取り出し端子とが直接接触しないようにしている。
【０００８】
この逆差防止手段は有効であり構成も簡単ではあるが、電池形状の改変を要するため、すでに市場に出回っている電池に対しては適用できない。また、電池収納部の寸法や形状は各メーカ間で必ずしも統一されていないため、上記のように改変された電池がすべての電池収納部に適合するとも限らない。
【０００９】
他方において、電池は陽極取り出し端子と陰極取り出し端子との間でバネ力により押圧保持されているため、交換時などにおいて取り出し難い。この点を考慮して電池収納部内に電池取り出し用のリボンを設けることが一般に行なわれている。
【００１０】
これによれば、そのリボンを引っ張ることにより、電池を簡単に取り出すことは可能であるが、往々にしてリボン切れが生ずる。また、電池を入れる際、リボンの端部を出さずに電池を入れてしまった場合には、何の用もなさなくなる。
【００１１】
本発明は、上述した課題を解決するためになされたものであって、その目的は、既存の電池に対しても、その形状などに変更を加えることなく、電池の逆差を防止するとともに、電池を電池収納部から簡単に取り出すことができるようにした電池の逆差防止具を提供することにある。
【００１２】
【課題を解決するための手段】
上記目的を達成するため、本発明は、一端に凸状の陽極キャップを有し、他端が陰極端子面とされた棒状電池の逆接続を防止するための電池の逆差防止具において、上記陰極端子面側に配置される電気絶縁材からなる第１基板と、上記陽極キャップ側に配置される第２基板と、上記棒状電池の軸線に沿って延在し、上記第１基板および上記第２基板を互いに対向させた状態で一体的に連結する連結部材とを備え、上記第１基板および上記第２基板の各々には上記陽極キャップが挿通可能な開口部が形成されていることを特徴とする。
【００１３】
これによれば、第２基板の開口部に陽極キャップを嵌合し、第１基板を陰極端子面に沿わせることにより、電池にこの逆差防止具を取り付けることができ、特に接着手段を要しないで済む。
【００１４】
また、連結部材を手がかりとして電池を取り出すこともできるが、掴み易いように連結部材に把手を設けるとよい。なお、把手を設ける位置は連結部材の長さ方向の中心位置から第２基板側（陽極キャップ側）寄りが好ましい。
【００１５】
さらには、上記電気絶縁基板の反陰極端子面側には、上記陽極キャップの突出高さよりも低い高さの凸部を設けてもよい。基板に凸部を形成するにあたって、凸部を基板の全周に沿って形成してもよいが、凸部を複数の突起として点在させることが材料費削減のためにも好ましい。
【００１６】
【発明の実施の形態】
次に、本発明の実施の形態を図面を参照して詳しく説明する。図１は本発明の第１実施例（参考実施例）に係る逆差防止具の斜視図であり、図２にはその平面図が示されている。図３は図２のＡ−Ａ線断面図である。
【００１７】
この逆差防止具１は、電気絶縁性の合成樹脂からなる逆差防止基板２を備えている。この逆差防止基板２は円盤状に形成されており、その中央部には棒状電池９の陽極キャップ９１（例えば図４参照）の外径よりも実質的に大径の開口部４が設けられている。
【００１８】
この逆差防止具１は、例えば図４に示されているように、棒状電池９の陰極端子面９２側に両面接着シートもしくは接着材などにより取り付けられる。したがって、基板２はその陰極端子面９２の外径とほぼ同径とされている。
【００１９】
ここで、逆差防止基板２の陰極端子面９２に取り付けられる側の面を裏面２２とすると、その反対側の表面２１には凸部が形成されている。この実施例において、凸部は１２０度の間隔で均等配置された３つの山状の突起３からなる。各突起３は円柱状もしくは角柱状であってもよい。
【００２０】
各突起３は同一の高さである。その高さ（裏面面２２から突起３の頂部までの高さ）をｈとし、棒状電池９の陽極キャップ９１の突出高さをＨとすると、その高さ関係は、Ｈ＞ｈとされている。すなわち、突起３は陽極キャップ９１よりも低い高さとされている。
【００２１】
なお、この例では逆差防止基板２と突起３は電気絶縁性の合成樹脂材により一体に形成されているが、逆差防止基板２と突起３を別々に形成して、その突起３を逆差防止基板２に貼り付けてもよい。その場合には、逆差防止基板２と突起３のいずれか一方が電気絶縁性を有していればよい。
【００２２】
図４および図５には、この逆差防止具１を陰極端子面９２にそれぞれ取り付けた２つの棒状電池９，９を直列に接続する場合が例示されている。
【００２３】
図４のように正常に接続した場合には、一方（図において右側）の棒状電池９の陽極キャップ９１が逆差防止基板２の中央にある開口部４を貫通して他方（図において左側）の棒状電池９の陰極端子面９２に接触する。
【００２４】
このようなつなぎ方で電池収納部に入れると、一方の棒状電池９の陰極端子面９２には、陰極取り出し端子のコイルバネが逆差防止基板２の中央にある開口部４を通って接触するとともに、他方の棒状電池９の陽極キャップ９１が陽極取り出し端子に接触し、電気（電子）機器に対して正常に電源が供給される。
【００２５】
これに対して、図５のように２つの棒状電池９，９を例えばそれらの各陰極端子面９２，９２を対向させて接続しようとする誤接続の場合には、逆差防止具１，１が対向することになるため、それらの間が絶縁状態となる。
【００２６】
また、図示されていないが、棒状電池９，９の各陽極キャップ９１，９１同士を接触させるような誤接続の場合には、それらの各逆差防止具１，１が電池収納部側の陽極取り出し端子と陰極取り出し端子とにそれぞれ対向するため、逆差が防止される。
【００２７】
次に、図６に斜視図として、また、図７に断面図として示されている本発明の第２実施例に係る逆差防止具１０について説明する。この第２実施例の逆差防止具１０は、上記第１実施例（参考実施例）の逆差防止具１をその構成要素の一つとしている。
【００２８】
すなわち、この第２実施例によると、上記第１実施例で説明した逆差防止基板（第１基板）２に加えて、棒状電池９の陽極キャップ９１側に配置される保持基板（第２基板）５を備えているとともに、逆差防止基板２と保持基板５とが連結部材７により一体に連結されている。
【００２９】
保持基板５も逆差防止基板２と同様な円盤体からなり、その中央部には陽極キャップ９１が挿通可能な開口部６が設けられている。連結部材７は棒状電池９の軸線に沿って延びるビーム材からなり、その長さは陽極キャップ９１の突出高さを含まない棒状電池９の本体長さとほぼ同じもしくはそれによりも若干短くされている。
【００３０】
逆差防止基板２と保持基板５は、それらの開口部４，６が同軸となるように連結部材７の両端に一体に連結されている。また、この連結部材７には把手８が設けられている。
【００３１】
この把手８は棒状電池９を電池収納部から取り出す際に掴まれるもので、その位置は連結部材７の長さ方向中心位置から保持基板５側寄りであることが好ましい。このように、把手８と陰極端子面９２との間の距離を長くすることにより、同陰極端子面９２側を支点としてより小さな力で電池収納部から棒状電池９を取り出すことが可能となる。
【００３２】
この例では、逆差防止基板２、保持基板５および連結部材７の３部材は、合成樹脂により一体成形されており、逆差防止基板２と保持基板５は連結部材７に対して弾性変形可能とされている。
【００３３】
この逆差防止具１０を棒状電池９に取り付けるには、まず、棒状電池９の陽極キャップ９１に保持基板５の開口部６を挿入して、同保持基板５に陽極キャップ９１を引っかけ、次いで、棒状電池９の陰極端子面９２を反対側の逆差防止基板２に沿って押し込む。
【００３４】
これにより、棒状電池９に逆差防止具１０が装着されるのであるが、上記とは異なり、まず、棒状電池９の陰極端子面９２を逆差防止基板２側に配置した後、陽極キャップ９１を保持基板５側に押し込み、同保持基板５を弾性変形させて陽極キャップ９１をその開口部６内に嵌合させるようにしてもよい。
【００３５】
この第２実施例によれば、特に接着材を必要としないため、棒状電池９に対して容易に着脱することができる。また、連結部材７に把手８が設けられているため、棒状電池９を電池収納部から取り出す際の作業性もよくなる。
【００３６】
図８に、第２実施例の逆差防止具１０をそれぞれ装着した２つの棒状電池９，９の正常なつなぎ例が示されているが、この第２実施例においても、逆差防止基板２の作用は上記第１実施例と同じであるため、ここではその説明を省略する。
【００３７】
なお、上記各実施例では、基板１の反陰極端子面側に突起３を設けて、逆差し時の同極電極面間を大きく離すようにしているが、例えば基板１の厚みが厚く、これだけで逆差し時の同極電極面間に大きなギャップが確保されるような場合には突起３を省略してもよい。
【００３８】
【発明の効果】
以上説明したように、本発明によれば、既存の棒状電池に手を加えることなく、容易に取り付けることができる電池の逆差防止に有効な逆差防止具が得られる。
【００３９】
また、本発明によれば、電池の逆差防止に有効であるばかりでなく、棒状電池に対して着脱可能であり、しかも電池収納部からの取り出しも容易に行なうことができる逆差防止具が得られる。
【図面の簡単な説明】
【図１】本発明の第１実施例（参考実施例）に係る逆差防止具の斜視図。
【図２】上記第１実施例に係る逆差防止具の正面図。
【図３】図２のＡ−Ａ断面図。
【図４】上記第１実施例の逆差防止具を取り付けた２つの棒状電池を正しく直列につないだ状態の模式図。
【図５】上記２つの棒状電池を間違って直列につないだ状態の模式図。
【図６】本発明の第２実施例に係る逆差防止具の斜視図。
【図７】上記第２実施例に係る逆差防止具の断面図。
【図８】上記第２実施例の逆差防止具を取り付けた２つの棒状電池を正しく直列につないだ状態の模式図。
【符号の説明】
１，１０  逆差防止具
２  逆差防止基板（第１基板）
３  突起（凸部）
４  開口部
５  保持基板（第２基板）
６  開口部
７  連結部材
８  把手
９  棒状電池
９１  陽極キャップ
９２  陰極端子面
【図１】
0004357020.tif 000002
【図２】
0004357020.tif 000003
【図３】
0004357020.tif 000004
【図４】
0004357020.tif 000005
【図５】
0004357020.tif 000006
【図６】
0004357020.tif 000007
【図７】
0004357020.tif 000008
【図８】
0004357020.tif 000009